(57)【要約】      （修正有）【課題】保存容器用密閉構造及び保存容器を提供する。【解決手段】保存容器の容体に形成されてなる開口の閉塞に用いられる蓋３を構成する構造であって、前記開口が閉塞される際に、前記開口に嵌入される前記蓋の下半嵌入部５の外周面に取り付けられてなると共に、前記外周面に対して外方に延出してなる柔軟なパッキン７と、前記パッキンを厚み方向に貫通して形成されてなる脱気孔８と、前記下半嵌入部の外周面であって前記脱気孔の直上となる位置に形成されてなる膨出部とを備える。さらに、前記下半嵌入部が前記開口に嵌入されて前記開口を閉塞した際に、前記パッキンが前記容体の内壁面からの押圧力によって屈曲されると共に、前記脱気孔が前記膨出部に覆われて塞がれることにより、蓋の開け閉めを容易とする保存容器用密閉構造を提供する。【選択図】図５
0003224712.tif 000002
【実用新案登録請求の範囲】
【請求項１】
保存容器の容体に形成されてなる開口の閉塞に用いられる蓋を構成する構造であって、
前記開口が閉塞される際に、前記開口に嵌入される前記蓋の下半嵌入部の外周面に取り付けられてなると共に、前記外周面に対して外方に延出してなる柔軟なパッキンと、
前記パッキンを厚み方向に貫通して形成されてなる脱気孔と、
前記下半嵌入部の外周面であって前記脱気孔の直上となる位置に形成されてなる膨出部と、を有し、
前記下半嵌入部が前記開口に嵌入されて前記開口を閉塞した際に、前記パッキンが前記容体の内壁面からの押圧力によって屈曲されると共に、前記脱気孔が前記膨出部に覆われて塞がれる
ことを特徴とする保存容器用密閉構造。
【請求項２】
請求項１に係る保存容器用密閉構造を備えてなる蓋。
【請求項３】
請求項２に係る蓋を備えてなる保存容器。
【考案の詳細な説明】
【技術分野】
【０００１】
本考案は、保存容器用密閉構造、及び保存容器に関する。
【背景技術】
【０００２】
従来より、現時点において使用しない食品などを保存すると共に保管しておくための容器が用いられている。特に、外部からの雑菌やカビの進入を防ぎ、内容物の腐敗を防止するために容体が密閉できる機能を備える保存容器が開発されている。
【先行技術文献】
【特許文献】
【０００３】
【特許文献１】特開２００３−２０５９６４号公報
【特許文献２】特開２０１２−１１１５０４号公報
【考案の概要】
【考案が解決しようとする課題】
【０００４】
しかし、容体を密閉できる機能によって密閉された保存容器は、内容物を使用しようとする際に蓋を開けようとすると、密閉状態を開放するために大きな力が必要となる（特許文献１  図５）。
【０００５】
また、このような密閉状態をあらかじめ解除するための密閉解除機構を備えた保存容器も開発されているが、従来の密閉解除機構は蓋の一部を大きく占める複雑な構造を備えているため保存容器が重くなる原因となっていた。また、従来の密閉解除機構は、蓋の中心部分に設けられる例が多く、このような場合に保存容器の美感を損なうという問題があった。
【０００６】
一方で、このような密閉解除機構を備えず、蓋に密閉材のみが設けられていると、保存容器を密閉し用とする際に、容体内部の空気の圧力によって蓋が押し返されて、密閉作業が容易でないことがあった。
【課題を解決するための手段】
【０００７】
そこで、上記課題を解決するための手段として本考案に係る保存容器用密閉構造は、保存容器の容体に形成されてなる開口の閉塞に用いられる蓋を構成する構造であって、前記開口が閉塞される際に、前記開口に嵌入される前記蓋の下半嵌入部の外周面に取り付けられてなると共に、前記外周面に対して外方に延出してなる柔軟なパッキンと、前記パッキンを厚み方向に貫通して形成されてなる脱気孔と、前記下半嵌入部の外周面であって前記脱気孔の直上となる位置に形成されてなる膨出部と、を有し、前記下半嵌入部が前記開口に嵌入されて前記開口を閉塞した際に、前記パッキンが前記容体の内壁面からの押圧力によって屈曲されると共に、前記脱気孔が前記膨出部に覆われて塞がれることを特徴とする。
【０００８】
膨出部は、脱気孔を塞ぐ大きさを有する点状の突部に形成されていてもよく、また、下半嵌入部の外周面全周にわたって環状に形成されてなるものであってもよい。膨出部は、蓋と一体に成形されてもよく、また、蓋を成形した後、シリコン、エラストマ―、若しくは合成樹脂などの素材を溶着などにより取り付けられてなるものであってもよい。
【０００９】
パッキンは、シリコン、エラストマ―、若しくは合成樹脂など、ガスの遮蔽性が高く、変形が容易な柔らかい素材からなる。
【００１０】
脱気孔は、目視できる程度の大きさであれば、ごく小さな小孔に形成されてなることが好ましい。また、脱気孔はパッキンに１つ形成されれば保存容器用密閉構造を実現することができるが、２以上設けられることを妨げるものではない。
【００１１】
保存容器の容体に蓋を嵌入して密閉する際に、脱気孔が形成されてなる付近の蓋部を掴んで、上方に向かって反り返すように力を加えながら嵌入させることで、脱気孔から容体内部の空気を排気しながら蓋を容体の開口に嵌入させることができる。これにより、蓋が容体内の空気による押し返しを抑制することができ、容易に蓋の嵌入作業を完了させることができる。
【００１２】
パッキンは柔軟な素材によって形成されてなるため、脱気孔が膨出部によって塞がれて保存容器が密閉された状態の蓋の縁を僅かに持ち上げると、脱気孔周辺のパッキンを変形させることができる。当該脱気孔周辺のパッキンの変形によって脱気孔における膨出部による閉塞状態を解除することができる。脱気孔の閉塞状態が解除されると保存容器外部から外気を容体内部へ導入させることができ、蓋を容体から容易に取り外すことができる。
【００１３】
また、前記保存容器用密閉構造を備えてなる蓋であってもよい。さらに、本考案は、前記保存容器用密閉構造を備えてなる前記蓋を有してなる保存容器である。
【考案の効果】
【００１４】
本考案によれば、保存容器の容体に蓋を嵌入して密閉する際に、容体内の空気による押し返しを抑制することができる。これにより、容易に蓋の嵌入作業を完了させることができる。
【００１５】
本考案によれば、密閉状態の保存容器の蓋の縁部分を僅かに持ち上げるだけで密閉状態を解消して、僅かな力で蓋を取り外すことができる。
【図面の簡単な説明】
【００１６】
【図１】保存容器１の正面図である。
【図２】保存容器１の平面図である。
【図３】蓋３の左側面図である。
【図４】蓋３の正面図
【図５】下方から見た蓋３の斜視図である。
【図６】保存容器１のＡ−Ａ断面図である。
【図７】保存容器１のＢ−Ｂ断面図である。
【図８】保存容器用密閉構造１００を正面から見た拡大部分断面図である。
【考案を実施するための形態】
【００１７】
以下、本考案に係る実施の形態を、図を参照しながら詳しく説明する。なお、本明細書及び図面において、実質的に同一の機能構成を有する構成要素については、同一の符号を付することにより重複説明を省略する。
【００１８】
図１には保存容器１の正面図を示し、図２には保存容器１の平面図を示している。本実施の形態において、保存容器１は、容体２及び容体２の上端を閉塞してなる蓋３によって構成されてなる。また、図３及び図４には、容体２から取り外した蓋３の左側面図及び正面図を示している。
【００１９】
蓋３は、図３及び図４に示すように、外周縁が周方向外方に延出して形成されてなる上半部４と、上半部４から下方向かって突設されてなる下半嵌入部５とを有する。下半嵌入部５の外周面には、全周にわたって溝６が設けられてなり、溝６には柔軟なシリコン素材からなるパッキン７が嵌め込まれてなる。パッキン７は、外縁部が下半嵌入部５の外周面よりも外方に延出した状態で溝６に保持されてなる。パッキン７の外形は、容体２の開口２ａの大きさよりも僅かに大きい大きさに形成されてなる。
【００２０】
本実施の形態によれば、パッキン７の左側部には、図５に示すように、パッキン７を厚み方向に貫通する小孔に形成されてなる脱気孔８が形成されてなる。
【００２１】
さらに、下半嵌入部５の外周面であって脱気孔８の直上となる位置には、下半嵌入部５の外周面の全周にわたって膨出部９が成形されて、パッキン７に形成された脱気孔８と合わせて保存容器用密閉構造１００を構成してなる。
【００２２】
次に、保存容器用密閉構造１００の機能について説明する。図６、７に示すように、容体２を閉塞する際に下半嵌入部５を容体２の開口２ａに嵌入すると、パッキン７の外縁端は容体２の内壁面２ｂと密接しながら押圧力を受け、当該押圧力によりパッキン７は蓋３の上半部４の方向に向かって屈曲する。パッキン７が屈曲するに従って、脱気孔８も上方に押し上げられて膨出部９に押し付けられる。脱気孔８は、パッキン７が十分に屈曲すると、膨出部９に圧接されながら覆われて上端の開口部８ａが塞がれる。図８には、脱気孔８が膨出部９によって開口部８ａが塞がれた状態の保存容器用密閉構造１００の拡大図を示している。膨出部９によって開口部８ａが塞がれた脱気孔８は、パッキン７の外側にある外気が容体２の内部に対して遮断し、保存容器１を密閉状態とする。
【００２３】
また、保存容器用密閉構造１００に設けられた脱気孔８は、保存容器１を蓋３で密閉する際に蓋３が容体２内の空気による押し返しを抑制することができ、容易に蓋３の嵌入作業を完了させることができる。すなわち、保存容器１の容体２に蓋３を嵌入して密閉する際に、脱気孔８が形成されてなる付近の蓋３の縁部分を掴んで、上方に向かって反り返すように力を加えながら嵌入させることで、脱気孔８から容体２の内部の空気を排気しながら蓋３を容体２の開口２ａに嵌入させることができる。
【００２４】
密閉状態の保存容器１を開ける際には、パッキン７は柔軟な素材によって形成されてなるため、脱気孔８が膨出部９によって塞がれて保存容器１が密閉された状態の蓋３の縁を僅かに持ち上げると、脱気孔８周辺のパッキン７の屈曲部分を上半部４から離れる方向に変形させることができる。当該脱気孔８周辺のパッキン７の変形によって脱気孔８における膨出部９による閉塞状態を解除することができる。脱気孔８の閉塞状態が解除されると保存容器１の外部から外気を容体２の内部へ導入させることができ、蓋３を容体２から容易に取り外すことができる。
【符号の説明】
【００２５】
１  保存容器
２  容体
３  蓋
５  下半嵌入部
６  溝
７  パッキン
８  脱気孔
９  膨出部
１００  保存容器用密閉構造
【図１】
0003224712.tif 000003
【図２】
0003224712.tif 000004
【図３】
0003224712.tif 000005
【図４】
0003224712.tif 000006
【図５】
0003224712.tif 000007
【図６】
0003224712.tif 000008
【図７】
0003224712.tif 000009
【図８】
0003224712.tif 000010